(57)【要約】【課題】頁の浮き上がりを抑制する。【解決手段】頁浮上抑制装置４０は、本Ｂを保持板６１に載置する際に本Ｂの下にスライドさせるようにして設置される。底板４４が本Ｂの重量によって押し下げられると、側板４１のスリット４２から突き出た、主アーム部４３１の押さえ部４３４を押し下げる。押さえ部４３４は、本Ｂの頁Ｐに当接した位置で停止し、頁Ｐの左下角部に斜めに固定される。このとき、分離アーム４３のねじりバネ４５による弾性力、押さえ部４３４の下方への屈曲形状による弾性力によって、頁Ｐを下方に押圧する。頁Ｐのめくり上げられる力によって押さえ部４３４が水平方向にずれることで、頁Ｐ１は、押さえ部４３４の下から滑るように解放される。【選択図】図５
2018043383.tif 000002
【特許請求の範囲】
【請求項１】
見開きの本の頁の浮き上がりを抑制する頁浮上抑制装置であって、
前記本が載置されると、前記本の重量によって押し下げられる底板と、
前記本が載置されている間、前記押し下げられた底板と連動して前記頁に当接し、前記頁を下方向に押圧し続ける頁押さえ部と、
を備え、
前記頁押さえ部は、
前記頁がめくられる際に、前記頁のめくり上げられる力によって水平方向へ移動する構造を有する、
ことを特徴とする頁浮上抑制装置。
【請求項２】
前記頁押さえ部は、
前記本の重量によって押し下げられる前記底板に連動して押し下げられる第１の端部と、
前記第１の端部の押し下げに連動して押し下げられて前記頁に当接し、前記頁を下方向に押圧する第２の端部と、を備え、
前記第２の端部は、
前記頁に対して第１の角度で斜め水平方向に延設されている、
ことを特徴とする請求項１に記載の頁浮上抑制装置。
【請求項３】
前記第２の端部は、
前記頁の水平面に対して第２の角度で下向きに延設されている、
ことを特徴とする請求項２に記載の頁浮上抑制装置。
【請求項４】
前記第１の端部と前記第２の端部の間にねじりバネが形成されている、
ことを特徴とする請求項２又は３に記載の頁浮上抑制装置。
【請求項５】
前記底板は、前記本が載置されていないとき、下方から押し上げられており、前記本が載置されると、前記本の重量により押し下げられる、
ことを特徴とする請求項１乃至４のいずれかに記載の頁浮上抑制装置。
【請求項６】
前記本の重量によって押し下げられて水平状態となる前記底板に対して垂直方向に立ち上がった側板を更に備え、
前記側板を前記本の側面に当接させ、前記底板を前記本の下に滑り込ませることで当該装置を設置する、
ことを特徴とする請求項１乃至５のいずれかに記載の頁浮上抑制装置。
【請求項７】
前記頁押さえ部は、弾性部材から形成されている、
ことを特徴とする請求項１乃至６のいずれかに記載の頁浮上抑制装置。
【請求項８】
見開きの本の頁をめくるべく、めくり元位置で所定の部材に頁を接触させ、この接触に基づいて前記所定の部材に追随してきた頁をめくり先位置で前記所定の部材から脱着させる頁めくり装置であって、
前記本が載置されると、前記本の重量によって押し下げられる底板と、
前記本が載置されている間、前記押し下げられた底板と連動して前記頁に当接し、前記頁を下方向に押圧し続ける頁押さえ部と、
を有する頁浮上抑制装置を備え、
前記頁押さえ部は、
前記頁がめくられる際に、前記頁のめくり上げられる力によって水平方向へ移動する構造を有する、
ことを特徴とする頁めくり装置。
【請求項９】
見開きの本の頁をめくるべく、めくり元位置で所定の部材に頁を接触させ、この接触に基づいて前記所定の部材に追随してきた頁をめくり先位置で前記所定の部材から脱着させる頁めくり装置の頁めくり方法であって、
前記本が載置されると、前記本の重量によって押し下げられる底板と連動する頁押さえ部を前記頁に当接させ、前記本が載置されている間、前記頁を下方向に押圧し続け、前記頁がめくられる際に、前記頁を下方向に押圧し続けた状態で、前記頁のめくり上げられる力によって前記頁押さえ部を水平方向へ移動させる、
ことを特徴とする頁めくり方法。
【発明の詳細な説明】
【技術分野】
【０００１】
本発明は、頁浮上抑制装置、頁めくり装置、及び頁めくり方法に関する。
【背景技術】
【０００２】
従来、例えば本等の頁を自動でめくる装置としては、重なっている頁を一枚ずつ吸着して頁をめくる頁めくり装置が知られている（例えば特許文献１参照）。当該頁めくり装置では、例えば、粘着性部材などで本の頁を保持し、保持された頁をめくり上げ分離する。
【先行技術文献】
【特許文献】
【０００３】
【特許文献１】特開平６−４８０６７号公報
【発明の概要】
【発明が解決しようとする課題】
【０００４】
上述した従来技術では、撮影対象の頁が浮き上がり、撮影画像に歪みが生ずることがある。
【０００５】
そこで本発明は、上記実状に鑑みてなされたものであり、頁の浮き上がりを抑制することを目的とする。
【課題を解決するための手段】
【０００６】
この発明に係る頁押さえ装置は、見開きの本の頁の浮き上がりを抑制する頁浮上抑制装置であって、前記本が載置されると、前記本の重量によって押し下げられる底板と、前記本が載置されている間、前記押し下げられた底板と連動して前記頁に当接し、前記頁を下方向に押圧し続ける頁押さえ部と、を備え、前記頁押さえ部は、前記頁がめくられる際に、前記頁のめくり上げられる力によって水平方向へ移動する構造を有する、ことを特徴とする。
【０００７】
この発明に係る頁めくり装置は、見開きの本の頁をめくるべく、めくり元位置で所定の部材に頁を接触させ、この接触に基づいて前記所定の部材に追随してきた頁をめくり先位置で前記所定の部材から脱着させる頁めくり装置であって、前記本が載置されると、前記本の重量によって押し下げられる底板と、前記本が載置されている間、前記押し下げられた底板と連動して前記頁に当接し、前記頁を下方向に押圧し続ける頁押さえ部と、を有する頁浮上抑制装置を備え、前記頁押さえ部は、前記頁がめくられる際に、前記頁のめくり上げられる力によって水平方向へ移動する構造を有する、ことを特徴とする。
【０００８】
この発明に係る頁めくり方法は、見開きの本の頁をめくるべく、めくり元位置で所定の部材に頁を接触させ、この接触に基づいて前記所定の部材に追随してきた頁をめくり先位置で前記所定の部材から脱着させる頁めくり装置の頁めくり方法であって、前記本が載置されると、前記本の重量によって押し下げられる底板と連動する頁押さえ部を前記頁に当接させ、前記本が載置されている間、前記頁を下方向に押圧し続け、前記頁がめくられる際に、前記頁を下方向に押圧し続けた状態で、前記頁のめくり上げられる力によって前記頁押さえ部を水平方向へ移動させる、ことを特徴とする。
【発明の効果】
【０００９】
この発明によれば、頁の浮き上がりを抑制することができる。
【図面の簡単な説明】
【００１０】
【図１】本実施形態の頁めくり装置１の概略構成を示す斜視図である。
【図２】（ａ）は、本実施形態の頁浮上抑制装置４０の構造（本不載置時；前面）を示す斜視図、（ｂ）は、頁浮上抑制装置４０の構造（本不載置時；背面）を示す斜視図、及び（ｃ）は、頁浮上抑制装置４０の構造（本不載置時）を示す側面図である。
【図３】（ａ）は、本実施形態の頁浮上抑制装置４０の構造（本載置時；前面）を示す斜視図、（ｂ）は、頁浮上抑制装置４０の構造（本載置時；背面）を示す斜視図、及び（ｃ）は、頁浮上抑制装置４０の構造（本載置時）を示す側面図である。
【図４】（ａ）は、本実施形態の頁浮上抑制装置４０の分離アーム４３の構造を示す上面図、（ｂ）は、分離アーム４３の一端（押さえ部４３４）の構造を示す上面図、及び（ｃ）は、分離アーム４３の一端（押さえ部４３４）の構造を示す正面図である。
【図５】（ａ）は、本実施形態の頁浮上抑制装置４０の装着方法を示す斜視図、（ｂ）は、頁浮上抑制装置４０の装着後の状態を示す斜視図である。
【図６】（ａ）〜（ｃ）は、本実施形態の頁浮上抑制装置４０によって押さえられていた頁Ｐがめくられていく様子を示す斜視図である。
【発明を実施するための形態】
【００１１】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１２】
図１は、本実施形態の頁めくり装置１の概略構成を示す斜視図である。なお、以下の説明においては本Ｂの頁Ｐを左から右へとめくる場合について説明する。
図１に示すように、頁めくり装置１は、本Ｂの頁Ｐをめくる頁めくり部３と、本Ｂを載置する保持台６と、めくり先位置で頁Ｐを保持するための頁保持部７と、保持台６上のめくり元位置の頁Ｐの浮き上がりを抑制する頁浮上抑制装置４０とを備えている。なお、図では省略しているが、本Ｂの頁Ｐを撮像する撮像手段を有する情報処理端末（スマートフォンや、タブレットなど）を載置するスタンド部を別途備えている。
【００１３】
頁めくり部３は、略直方体形状の収納ケース３１と、モータなどの駆動手段によって回転駆動する駆動軸３２と、駆動軸３２を中心に揺動するアーム部３４と、アーム部３４の先端に取り付けられ、本Ｂの頁Ｐに対して吸着する吸着部３５と、めくり元位置にある頁Ｐの上方に風を通過させ、めくり先位置にある頁Ｐに対して風を当てる送風部３６と、各部を制御する図示しない制御部とを備えている。
【００１４】
収納ケース３１は、駆動軸３２、アーム部３４、吸着部３５、及び送風部３６を収納している。収納ケース３１の主面には、駆動軸３２、アーム部３４、及び吸着部３５を収納するための第一収納凹部と、送風部３６を収納するための第二収納凹部とが設けられている。
【００１５】
保持台６は、図示しないヒンジにより折り畳み自在な一対の保持板６１、６２を備えている。ここで、本Ｂの頁Ｐが左から右へとめくられる場合は、一対の保持板６１、６２のうち、左側に配置された一方の保持板６１が卓上に沿うように置かれ、右側に置かれる他方の保持板６２が一方の保持板６１に対して所定の角度で起き上がるように傾斜して卓上に置かれる。一方の保持板６１上には、本Ｂのめくり元位置となる頁Ｐが置かれ、他方の保持板６２上には、本Ｂのめくり先位置となる頁Ｐが置かれることになる。
【００１６】
これにより、保持台６は、めくり元位置にある頁Ｐよりもめくり先にある頁Ｐの方が本Ｂの綴じ目に対して起きる方向に傾斜するように本Ｂを保持することになる。なお、一対の保持板６１、６２がヒンジにより折り畳み自在となっているので、一対の保持板６１、６２のなす角度も調整することができ、めくり先位置にある頁Ｐの水平面に対する傾斜角度が調整自在となっている。傾斜角度としては３０〜４５度内の範囲で調整することが好ましい。
【００１７】
頁保持部７は、頁押さえ装置７５と位置調整部７６とからなる。頁押さえ装置７５は、巻き込み部７５１と、引き込みローラ７５２と、押さえローラ７５３とを備えている。巻き込み部７５１は、頁Ｐがめくり元位置に戻らないようにめくり先位置に巻き込む。引き込みローラ７５２は、巻き込み部７５１と同軸上で回転し、吸着部３５より搬送され、巻き込み部７５１によって巻き込まれた頁Ｐがめくり元位置に戻らないように、頁Ｐを引き込む。押さえローラ７５３は、頁Ｐをめくり先位置で押さえ込む。
【００１８】
また、位置調整部７６は、めくり先位置にめくられた頁Ｐの端部に、引き込みローラ７５２、及び押さえローラ７５３のロール面が乗るように、本Ｂの大きさに応じて、保持板６２上における固定位置を調整するとともに保持板６２に固定する。
【００１９】
上記構成において、駆動軸３２が回転するとアーム部３４が駆動軸３２を中心にして円弧を描くように頁Ｐのめくり元位置と、頁Ｐのめくり先位置との間を往復動作するようになっている。以下の説明においては、頁Ｐのめくり元位置からめくり先位置までの移動を往動とし、めくり先位置からめくり元位置までの移動を復動とする。
【００２０】
めくり動作によってアーム部３４が往動する際には、めくり元位置の頁Ｐを吸着部３５によって吸着し、アーム部３４の往動に追従して吸着された頁Ｐがめくり先位置へと移動することになる。
【００２１】
頁押さえ装置７５では、吸着部３５より吸着された頁Ｐがめくり先位置へ搬送されてくると、巻き込み部７５１の羽根部の回転動作によって頁Ｐを巻き込み、巻き込んだ頁Ｐを、引き込みローラ７５２で更に引き込んで、押さえローラ７５３でめくり先位置に確実に押さえ込んで留めるようになっている。
【００２２】
また、アーム部３４の復動時では、往動時と進行方向は逆であり、同経路で吸着部３５は頁Ｐから分離した状態で移動し、最終的に頁Ｐのめくり元位置で新たな頁Ｐに吸着する。この往復動作を繰り返すことで頁Ｐのめくり動作が進行する。
【００２３】
頁浮上抑制装置４０は、本Ｂを保持板６１に載置する際に、底板（不図示）を本Ｂの下に滑り込ませるように設置される。頁浮上抑制装置４０の側板４１には、円弧形状のスリット４２が形成されている。また、頁浮上抑制装置４０は、該スリット４２を介して、上下に移動可能な分離アーム４３を備えている。分離アーム４３の一端は、スリット４２を通して本Ｂ側に突き出ており、他端は、ねじりバネ（不図示）を介して底板の下に配置されている。本Ｂが底板上に載置されると、分離アーム４３の他端が、ねじりバネを支点として押し下げられ、分離アーム４３の一端が、吸着部３５により持ち上げられる前の本Ｂの頁Ｐを押圧するようになっている。
【００２４】
図２（ａ）は、本実施形態の頁浮上抑制装置４０の構造（本不載置時；前面）を示す斜視図であり、同図（ｂ）は、頁浮上抑制装置４０の構造（本不載置時；背面）を示す斜視図であり、及び同図（ｃ）は、頁浮上抑制装置４０の構造（本不載置時）を示す側面図である。
【００２５】
頁浮上抑制装置４０は、図２（ａ）〜（ｃ）に示すように、本Ｂが載置される保持板６１に対して垂直に立ち上がった側板４１と、一辺を回転軸として水平から所定の角度まで可動な底板４４とからなる。底板４４は、側板４１の反対側の一辺を回転軸とし、側板４１側を遊動可能な構造となっている。底板４４は、図２（ｃ）に示すように、バネ４６によって下方から押し上げられており、本Ｂを載置していない無負荷状態では、図示のように一辺を回転軸として押し上げられた状態となる。なお、本実施形態では、コイル状のバネ４６を用いているが、これに限らず、ゴム製の弾性部材や、板状のバネなどであってもよい。
【００２６】
また、側板４１には、上述したように、円弧状のスリット４２が形成されている。分離アーム４３は、その一端がスリット４２を通して底板４４側（本Ｂ側）に突き出ており、他端がねじりバネ４５となっている。底板４４側（本Ｂ側）に突き出た一端は、本Ｂの頁Ｐに当接するので頁Ｐを傷つけないように輪状に成形されている。
【００２７】
また、ねじりバネ４５の端部は、図示していないが、底板４４の下面に固定されており、底板４４の昇降に応じて同時に昇降するようになっている。底板４４が上昇している状態では、ねじりバネ４５の端部も上昇しているので、分離アーム４３の一端も上昇する。換言すれば、本Ｂが底板４４に載置されていない場合には、図２（ａ）〜（ｃ）に示すように、底板４４が上昇し、分離アーム４３の一端も上昇する。
【００２８】
図３（ａ）は、本実施形態の頁浮上抑制装置４０の構造（本載置時；前面）を示す斜視図、同図（ｂ）は、頁浮上抑制装置４０の構造（本載置時；背面）を示す斜視図、及び同図（ｃ）は、頁浮上抑制装置４０の構造（本載置時）を示す側面図である。
【００２９】
底板４４に本Ｂが載置されると、底板４４は、本Ｂの重さによって押し下げられる。換言すれば、底板４４を支持するバネ４６による押し上げ力は、最も軽い本Ｂ、例えば、薄い本や、文庫本などの小さいサイズの本Ｂを載置したことを想定したときの重さで最下端まで押し下げられるよう調整されている。底板４４が下降すると、該底板４４に固定されているねじりバネ４５の端部も押し下げられる。ねじりバネ４５の端部が押し下げられると、これに連動して分離アーム４３の一端も下降する。
【００３０】
図示の例では、本Ｂが載置されていないので、分離アーム４３は最下端まで下降しているが、実際に本Ｂが載置されている場合には、分離アーム４３の一端（後述する押さえ部４３４）が本Ｂの頁Ｐに当接した位置で停止することになる。このとき、分離アーム４３のねじりバネ４５による弾性力や、分離アーム４３の形状による弾性力（後述）が印加されるので、分離アーム４３の一端には、当接した頁Ｐを下方に押圧する力が働くことになる。
【００３１】
このねじりバネ４５による弾性力は、本Ｂの厚さ（薄いものから厚いものまでを考慮して）に応じて適宜調整されるとともに、めくられる前の頁Ｐを下方に押圧して頁Ｐがたわむのを防ぐとともに、頁Ｐがめくられるときに、めくられる頁Ｐの次の頁Ｐを下方に押圧し続ける程度に適宜調整される。ねじりバネ４５を適宜調整することで、押さえている頁Ｐがめくられるのを邪魔することなく、めくられる頁Ｐの次の頁を押さえることができ、複数のページがめくり上がることを防止することができる。
【００３２】
図４（ａ）は、本実施形態の頁浮上抑制装置４０の分離アーム４３の構造を示す上面図、（ｂ）は、分離アーム４３の一端（押さえ部４３４）の構造を示す上面図、及び（ｃ）は、分離アーム４３の一端（押さえ部４３４）の構造を示す正面図である。
【００３３】
図４（ａ）に示すように、分離アーム４３は、主アーム部４３１、ねじりバネ４５、延設部４３３、押さえ部４３４、輪状部４３５から構成される。分離アーム４３自体は、金属製（ステンレス鋼等）や、樹脂製（ＡＢＳ樹脂等）などからなり、十分な剛性を有するとともに、適度な弾性力を有する素材で形成することが好ましい。延設部４３３は、頁浮上抑制装置４０の底板４４の下側に位置し、底板４４に本Ｂが設定されて底板４４が押し下げられると、これに伴って下方向（図面の垂直方向）に押し下げられる。この延設部４３３の下降が、ねじりバネ４５を介して、主アーム部４３１自体を下降させることになる。押さえ部４３４は、側板４１に形成されているスリット４２から突き出た部分である。
【００３４】
押さえ部４３４は、図４（ｂ）に示すように、主アーム部４３１に対して、所定の角度θ１（鋭角）で内側に屈曲している。その先端部は、前述したように、本Ｂの頁Ｐに当接するので頁Ｐを傷つけないように輪状部４３５を形成している。また、押さえ部４３４は、図４（ｃ）に示すように、水平に対して、所定の角度θ２で下方に屈曲している。
【００３５】
このように、本Ｂの頁Ｐに当接する押さえ部４３４を、主アーム部４３１に対して、所定の角度θ１（鋭角）で内側に屈曲させ、かつ水平に対して、所定の角度θ２で下方に屈曲させることで、分離アーム４３自体が有する弾性力、及びねじりバネ４５におる弾性力によって、めくられる前の頁Ｐを確実に浮かないように押さえ付けることができ、また、押さえていた頁Ｐがめくられる際に、押さえ部４３４から容易にすり抜けてめくられ易くすることができる。この詳細については後述する。
【００３６】
図５（ａ）は、本実施形態の頁浮上抑制装置４０の装着方法を示す斜視図、同図（ｂ）は、頁浮上抑制装置４０の装着後の状態を示す斜視図である。本実施形態の頁浮上抑制装置４０は、図５（ａ）に示すように、本Ｂを保持板６１に載置する際に本Ｂの下にスライドさせるようにして設置される。
【００３７】
図５（ｂ）には、頁浮上抑制装置４０を本Ｂの下側にスライドさせた後の状態を示している。プリンタの用紙ガイドのように、頁浮上抑制装置４０の側板４１を本Ｂに押し付けると、底板４４が本Ｂの重量によって押し下げられ、底板４４によって分離アーム４３の延設部４３３が押し下げられる。この延設部４３３の下降が、ねじりバネ４５を介して、側板４１のスリット４２から突き出た、主アーム部４３１の押さえ部４３４を押し下げることになる。
【００３８】
押さえ部４３４は、図５（ｂ）に示すように、本Ｂの頁Ｐに当接した位置で停止し、頁Ｐの左下角部に斜めに固定される。このとき、分離アーム４３のねじりバネ４５による弾性力、押さえ部４３４の下方への屈曲形状による弾性力によって、押さえ部４３４に当接した頁Ｐを下方に押圧する力が働き、頁Ｐの浮き上がりを防止することができる。
【００３９】
図６（ａ）〜（ｃ）は、本実施形態の頁浮上抑制装置４０によって押さえられていた頁Ｐがめくられていく様子を示す斜視図である。
【００４０】
分離アーム４３に押さえられた頁Ｐが吸着部３５より吸着されてめくられる際は、図６（ａ）に示すように、分離アーム４３のねじりバネ４５による弾性力、押さえ部４３４の下方への屈曲形状による弾性力に反して、めくられる頁Ｐの上方向への力が分離アーム４３の押さえ部４３４を徐々に持ち上げる。また、このとき、押さえ部４３４の内側への屈曲形状による弾性力で、押さえ部４３４は徐々に内側（側板４１側）に曲げられる。但し、分離アーム４３の押さえ部４３４は、頁Ｐ１（及びその下の頁Ｐ２）を下方に押圧し続けている。したがって、複数の頁がめくり上がることを防止することができる。
【００４１】
更に頁Ｐがめくり上げられると、図６（ｂ）に示すように、めくられる頁Ｐによる上方向への力が分離アーム４３の押さえ部４３４を更に持ち上げるとともに、押さえ部４３４を内側（側板４１側）に更に曲げる。換言すれば、押さえ部４３４は、頁Ｐのめくり上げられる力によって水平方向にずれることで、また、主アーム部４３１と共にねじれる、又は撓むことで、頁Ｐ１は、押さえ部４３４の下から徐々に解放される。但し、このような状態であっても、分離アーム４３の押さえ部４３４による頁Ｐ１、及びその下の頁Ｐ２に対する下方への押圧力は維持され続ける。
【００４２】
そして、十分に頁Ｐがめくり上げられると、押さえ部４３４が、頁Ｐのめくり上げられる力によって水平方向に更にずれ、頁Ｐ１は、分離アーム４３の下を滑るようにして解放される。そして、めくられる頁Ｐ１による上方向への力が押さえ部４３４に作用しなくなることで、押さえ部４３４の内側への屈曲形状による弾性力で、再び、押さえ部４３４は元の位置に戻り、分離アーム４３のねじりバネ４５による弾性力、押さえ部４３４の下方への屈曲形状による弾性力によって、次の頁Ｐ２がすぐに下方向に押圧されて保持されることになる。
【００４３】
したがって、頁Ｐ１がめくられる過程でも、めくられる前の頁Ｐ２を下方に押圧しているので、めくられる前の頁Ｐ２のたわみを防止することができる。頁の撮影は、めくられる前の頁Ｐ２に対して行われるので、めくられる前の頁Ｐ２のたわみを防止することで、撮影画像の歪みを低減することができる。
【００４４】
上述した実施形態によれば、張り付きや裁断バリなどによる頁めくり時の重送を低減することができる。また、コシの強い紙の本などで、頁の浮き上がりを抑制することができる。更に、側板４１で本Ｂを押さえることで、頁めくり時の本Ｂの位置が安定し、撮影画像がずれることを防止することができる。
【００４５】
なお、上述した実施形態において、分離アーム４３の押さえ部４３４は、スキャンした画像に写り込むため、画像の後処理によって除去することが好ましい。
【００４６】
また、上述した実施形態では、頁浮上抑制装置４０は、保持板６１に設置され、本Ｂの綴じ目に対して直角な方向に設置される例を示したが、これ限らず、本Ｂの綴じ目に対して平行な方向に設置されてもよい。
【００４７】
上述した実施形態によれば、本Ｂが載置されると、本Ｂの重量によって底板４４が押し下げられ、本Ｂが載置されている間、押し下げられた底板４４と連動して押し下げられる分離アーム４３の押さえ部４３４を頁Ｐに当接させ、分離アーム４３のねじりバネ４５による弾性力、押さえ部４３４の下方への屈曲形状による弾性力によって、頁Ｐを下方向に押圧し続けるとともに、頁Ｐがめくられる際に、めくられる頁Ｐを押さえ部４３４の下から離脱させるべく、頁Ｐがめくり上げられる力によって押さえ部４３４を水平方向へ移動する構造としたので、複数の頁が重なってめくり上がることを防止することができる。また、めくられる前の頁Ｐのたわみを防止することで、撮影画像の歪みを低減することができる。
【００４８】
上述した実施形態によれば、分離アーム４３を本Ｂの重量によって押し下げられる底板４４に連動して押し下げられる延設部４３３と、該延設部４３３の押し下げに連動して押し下げられて頁Ｐに当接し、頁Ｐを下方向に押圧する押さえ部４３４とから構成し、押さえ部４３４を所定の角度θ１で斜め水平方向に延設するようにしたので、めくられる前の頁Ｐのたわみを防止しつつ、押さえ部４３４から容易にすり抜けてめくられ易くすることができる。
【００４９】
また、上述した実施形態によれば、押さえ部４３４を頁Ｐの水平面に対して所定の角度θ２で下向きに延設するようにしたので、分離アーム４３自体の弾性力で確実にめくられる前の頁Ｐを下向きに押圧することができ、頁Ｐのたわみを防止することができる。
【００５０】
また、上述した実施形態によれば、延設部４３３と押さえ部４３４との間にねじりバネを形成するようにしたので、分離アーム４３自体の弾性力で確実にめくられる前の頁Ｐを下向きに押圧することができ、頁Ｐのたわみを防止することができる。
【００５１】
また、上述した実施形態によれば、底板４４をバネ４６によって下方向から押し上げるように構成し、本Ｂが載置されていないとき、下方から押し上げられ、本Ｂが載置されると、本Ｂの重量により押し下げられるようにしたので、本Ｂの下に底板４４を滑り込ませるように設置するだけで、めくられる前の頁Ｐを下向きに押圧することができ、頁Ｐのたわみを防止することができる。
【００５２】
また、上述した実施形態によれば、本Ｂの重量によって押し下げられて水平状態となる底板４４に対して垂直方向に立ち上がった側板４１が本Ｂの側面に当接するまで、底板４４を本Ｂの下に滑り込ませることで設置するようにしたので、頁めくり時の本Ｂの位置が安定し、撮影画像がずれることを防止することができる。
【００５３】
なお、上述した実施形態では、分離アーム４３を、例えば、金属製（ステンレス鋼等）や、樹脂製（ＡＢＳ樹脂等）などの、十分な剛性を有するとともに、適度な弾性力を有する素材で形成するようにしたので、分離アーム４３自体の弾性力で確実にめくられる前の頁Ｐを下向きに押圧することができ、頁Ｐのたわみを防止することができる。
【００５４】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５５】
（付記１）
付記１に記載の発明は、見開きの本の頁の浮き上がりを抑制する頁浮上抑制装置であって、前記本が載置されると、前記本の重量によって押し下げられる底板と、前記本が載置されている間、前記押し下げられた底板と連動して前記頁に当接し、前記頁を下方向に押圧し続ける頁押さえ部と、を備え、前記頁押さえ部は、前記頁がめくられる際に、前記頁のめくり上げられる力によって水平方向へ移動する構造を有する、ことを特徴とする頁浮上抑制装置である。
【００５６】
（付記２）
付記２に記載の発明は、前記頁押さえ部は、前記本の重量によって押し下げられる前記底板に連動して押し下げられる第１の端部と、前記第１の端部の押し下げに連動して押し下げられて前記頁に当接し、前記頁を下方向に押圧する第２の端部と、を備え、前記第２の端部は、前記頁に対して第１の角度で斜め水平方向に延設されている、ことを特徴とする付記１に記載の頁浮上抑制装置である。
【００５７】
（付記３）
付記３に記載の発明は、前記第２の端部は、前記頁の水平面に対して第２の角度で下向きに延設されている、ことを特徴とする付記２に記載の頁浮上抑制装置である。
【００５８】
（付記４）
付記４に記載の発明は、前記第１の端部と前記第２の端部の間にねじりバネが形成されている、ことを特徴とする付記２又は３に記載の頁浮上抑制装置である。
【００５９】
（付記５）
付記５に記載の発明は、前記底板は、前記本が載置されていないとき、下方から押し上げられており、前記本が載置されると、前記本の重量により押し下げられる、ことを特徴とする付記１乃至４のいずれかに記載の頁浮上抑制装置である。
【００６０】
（付記６）
付記６に記載の発明は、前記本の重量によって押し下げられて水平状態となる前記底板に対して垂直方向に立ち上がった側板を更に備え、前記側板を前記本の側面に当接させ、前記底板を前記本の下に滑り込ませることで当該装置を設置する、ことを特徴とする付記１乃至５のいずれかに記載の頁浮上抑制装置である。
【００６１】
（付記７）
付記７に記載の発明は、前記頁押さえ部は、弾性部材から形成されている、ことを特徴とする付記１乃至６のいずれかに記載の頁浮上抑制装置である。
【００６２】
（付記８）
付記８に記載の発明は、見開きの本の頁をめくるべく、めくり元位置で所定の部材に頁を接触させ、この接触に基づいて前記所定の部材に追随してきた頁をめくり先位置で前記所定の部材から脱着させる頁めくり装置であって、前記本が載置されると、前記本の重量によって押し下げられる底板と、前記本が載置されている間、前記押し下げられた底板と連動して前記頁に当接し、前記頁を下方向に押圧し続ける頁押さえ部と、を有する頁浮上抑制装置を備え、前記頁押さえ部は、前記頁がめくられる際に、前記頁のめくり上げられる力によって水平方向へ移動する構造を有する、ことを特徴とする頁めくり装置である。
【００６３】
（付記９）
付記９に記載の発明は、見開きの本の頁をめくるべく、めくり元位置で所定の部材に頁を接触させ、この接触に基づいて前記所定の部材に追随してきた頁をめくり先位置で前記所定の部材から脱着させる頁めくり装置の頁めくり方法であって、前記本が載置されると、前記本の重量によって押し下げられる底板と連動する頁押さえ部を前記頁に当接させ、前記本が載置されている間、前記頁を下方向に押圧し続け、前記頁がめくられる際に、前記頁を下方向に押圧し続けた状態で、前記頁のめくり上げられる力によって前記頁押さえ部を水平方向へ移動させる、ことを特徴とする頁めくり方法である。
【符号の説明】
【００６４】
１…頁めくり装置、３…頁めくり部、７…頁保持部、３１…収納ケース、３２…駆動軸、３４…アーム部、３５…吸着部、４０…頁浮上抑制装置、４１…側板、４２…スリット、４３…分離アーム、４３１…主アーム部、４３３…延設部、４３４…押さえ部、４３５…輪状部、４４…底板、４５…ねじりバネ、４６…バネ、６…保持台、６１、６２…保持板、７５…頁押さえ装置、７６…位置調整部、７５１…巻き込み部、７５２…引き込みローラ、７５３…押さえローラ、Ｂ…本、Ｐ、Ｐ１、Ｐ２…頁
【図１】
2018043383.tif 000003
【図２】
2018043383.tif 000004
【図３】
2018043383.tif 000005
【図４】
2018043383.tif 000006
【図５】
2018043383.tif 000007
【図６】
2018043383.tif 000008